(57)【特許請求の範囲】
【請求項１】
第１の記憶手段を備える制御ユニットと、
第２の記憶手段を備える通信ユニットと、
を備える画像通信装置であって、
前記画像通信装置は、
前記制御ユニットに対して電力が供給され、当該制御ユニットの制御により外部装置との間で通信を行う第１のモードと、前記制御ユニットに対して電力が供給されず、前記通信ユニットの制御により外部装置との間で通信を行う第２のモードとを備え、
前記通信ユニットは、
通信ごとの通信履歴情報を生成する生成手段と、
前記第２のモードにおいて、前記通信ユニットにおいて固有の識別情報を前記通信履歴情報に付与する付与手段と、
前記第２のモードにおいて、前記第２の記憶手段に前記識別情報が付与された通信履歴情報を格納する手段とを備え、
前記制御ユニットは、
前記第２のモードから前記第１のモードへ移行する場合に、前記第２の記憶手段に格納された前記通信履歴情報を取得する取得手段と、
前記取得手段で取得された前記通信履歴情報に付与された識別情報を、前記第１の記憶手段に格納されている通信履歴情報に付与された前記制御ユニットにおいて固有の識別情報と連続したものとなるように変更する変更手段と、
前記変更された識別情報が付与された前記通信履歴情報を前記第１の記憶手段に格納する手段と
を備えることを特徴とする画像通信装置。
【請求項２】
第１の記憶手段を備える制御ユニットと、
第２の記憶手段を備える通信ユニットと、
を備える画像通信装置であって、
前記画像通信装置は、
前記制御ユニットに対して電力が供給され、当該制御ユニットの制御により外部装置との間で通信を行う第１のモードと、前記制御ユニットに対して電力が供給されず、前記通信ユニットの制御により外部装置との間で通信を行う第２のモードとを備え、
前記通信ユニットは、
通信ごとの通信履歴情報を生成する生成手段と、
前記第２のモードにおいて、前記制御ユニットから通知された識別情報に基づいて、識別情報を前記通信履歴情報に付与する付与手段と、
前記第２のモードにおいて、前記識別情報が付与された通信履歴情報を前記第２の記憶手段に格納する手段とを備え、
前記制御ユニットは、
前記第１のモードから前記第２のモードへ移行する場合に、前記第１のモードにおいて前記第１の記憶手段に格納された前記通信履歴情報に付与された、前記制御ユニットにおいて固有の識別情報のうち、最新の識別情報を前記通信ユニットに通知する通知手段と、
前記第２のモードから前記第１のモードへ移行する場合に、前記第２の記憶手段に格納された前記通信履歴情報を取得する取得手段と、
前記取得手段で取得した前記通信履歴情報を、前記第１の記憶手段に格納する手段とを備えることを特徴とする画像通信装置。
【請求項３】
前記第１のモードにおいて前記制御ユニット及び前記通信ユニットへの電力供給を行い、前記第２のモードにおいて前記制御ユニットへの電力供給を行わず、前記通信ユニットへの電力供給を行う電力供給手段を更に備えることを特徴とする請求項１又は２に記載の画像通信装置。
【請求項４】
前記付与手段は、所定の規則に従って前記識別情報を発行することを特徴とする請求項１乃至３のいずれか１項に記載の画像通信装置。
【請求項５】
前記制御ユニットは、所定の規則に従って前記識別情報を発行する識別情報発行手段を有することを特徴とする請求項１乃至４のいずれか１項に記載の画像通信装置。 
【請求項６】
前記識別情報は、通し番号であることを特徴とする請求項１乃至５のいずれか１項に記載の画像通信装置。
【請求項７】
前記第２のモードにおいて、前記通信ユニットの制御により外部装置との間で通信が行われたことを示す情報をユーザに通知する手段をさらに備えることを特徴とする請求項１乃至６のいずれか１項に記載の画像通信装置。
【請求項８】
前記第２のモードは、前記画像通信装置の保守管理を行うためのメンテナンスモードであることを特徴とする請求項１乃至７のいずれか１項に記載の画像通信装置。
【請求項９】
第１の記憶手段を備える制御ユニットと、
第２の記憶手段を備える通信ユニットと、
を備える画像通信装置の制御方法であって、
前記画像通信装置が、
前記制御ユニットに対して電力が供給され、当該制御ユニットの制御により外部装置との間で通信を行う第１のモードと、前記制御ユニットに対して電力が供給されず、前記通信ユニットの制御により外部装置との間で通信を行う第２のモードで動作し、
前記通信ユニットが、
通信ごとの通信履歴情報を生成する生成工程と、
前記第２のモードにおいて、前記通信ユニットにおいて固有の識別情報を前記通信履歴情報に付与する付与工程と、
前記第２のモードにおいて、前記第２の記憶手段に前記識別情報が付与された通信履歴情報を格納する工程とを実行し、
前記制御ユニットが、
前記第２のモードから前記第１のモードへ移行する場合に、前記第２の記憶手段に格納された前記通信履歴情報を取得する取得工程と、
前記取得工程で取得された前記通信履歴情報に付与された識別情報を、前記第１の記憶手段に格納されている通信履歴情報に付与された前記制御ユニットにおいて固有の識別情報と連続したものとなるように変更する変更工程と、
前記変更された識別情報が付与された前記通信履歴情報を前記第１の記憶手段に格納する工程と
を実行することを特徴とする画像通信装置の制御方法。
【請求項１０】
第１の記憶手段を備える制御ユニットと、
第２の記憶手段を備える通信ユニットと、
を備える画像通信装置の制御方法であって、
前記画像通信装置が、
前記制御ユニットに対して電力が供給され、当該制御ユニットの制御により外部装置との間で通信を行う第１のモードと、前記制御ユニットに対して電力が供給されず、前記通信ユニットの制御により外部装置との間で通信を行う第２のモードで動作し、
前記通信ユニットが、
通信ごとの通信履歴情報を生成する生成工程と、
前記第２のモードにおいて、前記制御ユニットから通知された識別情報に基づいて、識別情報を前記通信履歴情報に付与する付与工程と、
前記第２のモードにおいて、前記識別情報が付与された通信履歴情報を前記第２の記憶手段に格納する工程とを備え、
前記制御ユニットが、
前記第１のモードから前記第２のモードへ移行する場合に、前記第１のモードにおいて前記第１の記憶手段に格納された前記通信履歴情報に付与された、前記制御ユニットにおいて固有の識別情報のうち、最新の識別情報を前記通信ユニットに通知する通知工程と、
前記第２のモードから前記第１のモードへ移行する場合に、前記第２の記憶手段に格納された前記通信履歴情報を取得する取得工程と、
前記取得工程で取得した前記通信履歴情報を、前記第１の記憶手段に格納する工程とを実行することを特徴とする画像通信装置の制御方法。
【請求項１１】
請求項９または１０に記載の画像通信装置の制御方法をコンピュータに実行させるためのプログラム。
【発明の詳細な説明】
【技術分野】
【０００１】
本発明は、画像通信装置及びその制御方法に関するものである。
【背景技術】
【０００２】
一般に、デジタル複合機（ＭＦＰ）等の画像通信装置では、性能の維持や機能の向上のために、何らかの保守管理（メンテナンス）作業が必要となる場合がある。メンテナンス作業には、例えば、各機能部の点検や必要な部品の交換等が含まれる。このようなメンテナンス作業は、通常、ＭＦＰの故障を防止するために、ＭＦＰの電源を一時的に停止した状態で行われる。このため、メンテナンス作業中のＭＦＰでは、例えば、業務上、常にＦＡＸやＥメールなどの通信が可能な状態とすることが望ましい場合においても、通信が実行不可能となる不都合が生じる。
【０００３】
これに対して、例えば、特許文献１には、ＦＡＸ通信機能を含む画像通信装置の機能の一部に障害が発生した場合に、障害が検知された機能のみを無効にすることにより、機能全体を停止させることなくメンテナンス作業を行うことが可能な手法が提案されている。当該手法によれば、画像通信装置に対するメンテナンス作業中に、各ユニットに対する電力供給を停止しても、ＦＡＸ通信等を行う通信ユニットに対して電力供給を継続することにより、当該作業中もＦＡＸ通信の送受信が可能である。
【先行技術文献】
【特許文献】
【０００４】
【特許文献１】特開２００２−２６４４５５号公報
【発明の概要】
【発明が解決しようとする課題】
【０００５】
しかしながら、上述の従来技術には、以下のような問題がある。例えば、電力供給が停止された何れかのユニット内で管理されているＦＡＸやＥメールなどの通信の通信履歴情報と、メンテナンス作業中に通信ユニットでＦＡＸやＥメールなどの通信を行った場合に生成される通信履歴情報との整合性を確保できなくなってしまう問題がある。
【０００６】
本発明は、上述の問題に鑑みてなされたものである。このために、例えばメンテナンス作業を行うために、通常状態で通信履歴情報を管理しているユニットへの電力供給を遮断し、通信ユニットに対しては電力供給を継続した状態にし、この状態において生成した通信履歴情報と、通常の動作中に生成した通信履歴情報との整合性を確保することが可能な画像通信装置を提供することを目的としている。
【課題を解決するための手段】
【０００７】
本発明は、例えば、画像通信装置として実現できる。本発明の一態様に係る画像通信装置は、第１の記憶手段を備える制御ユニットと、第２の記憶手段を備える通信ユニットと、を備える画像通信装置であって、画像通信装置は、制御ユニットに対して電力が供給され、当該制御ユニットの制御により外部装置との間で通信を行う第１のモードと、制御ユニットに対して電力が供給されず、通信ユニットの制御により外部装置との間で通信を行う第２のモードとを備え、通信ユニットは、通信ごとの通信履歴情報を生成する生成手段と、第２のモードにおいて、通信ユニットにおいて固有の識別情報を通信履歴情報に付与する付与手段と、第２のモードにおいて、第２の記憶手段に識別情報が付与された通信履歴情報を格納する手段とを備え、制御ユニットは、第２のモードから第１のモードへ移行する場合に、第２の記憶手段に格納された通信履歴情報を取得する取得手段と、取得手段で取得された通信履歴情報に付与された識別情報を、第１の記憶手段に格納されている通信履歴情報に付与された制御ユニットにおいて固有の識別情報と連続したものとなるように変更する変更手段と、変更された識別情報が付与された通信履歴情報を第１の記憶手段に格納する手段とを備えることを特徴とする。
また、本発明の他の一態様に係る画像通信装置は、第１の記憶手段を備える制御ユニットと、第２の記憶手段を備える通信ユニットと、を備える画像通信装置であって、画像通信装置は、制御ユニットに対して電力が供給され、当該制御ユニットの制御により外部装置との間で通信を行う第１のモードと、制御ユニットに対して電力が供給されず、通信ユニットの制御により外部装置との間で通信を行う第２のモードとを備え、通信ユニットは、通信ごとの通信履歴情報を生成する生成手段と、第２のモードにおいて、制御ユニットから通知された識別情報に基づいて、識別情報を通信履歴情報に付与する付与手段と、第２のモードにおいて、識別情報が付与された通信履歴情報を第２の記憶手段に格納する手段とを備え、制御ユニットは、第１のモードから第２のモードへ移行する場合に、第１のモードにおいて第１の記憶手段に格納された通信履歴情報に付与された、制御ユニットにおいて固有の識別情報のうち、最新の識別情報を通信ユニットに通知する通知手段と、第２のモードから第１のモードへ移行する場合に、第２の記憶手段に格納された通信履歴情報を取得する取得手段と、取得手段で取得した通信履歴情報を、第１の記憶手段に格納する手段とを備えることを特徴とする。
【発明の効果】
【０００８】
本発明によれば、例えば、通常の動作中に生成した通信履歴情報と、通常状態で通信履歴情報を管理しているユニットが停止している状態で生成した通信履歴情報との整合性を確保することが可能な画像形成装置を提供できる。
【図面の簡単な説明】
【０００９】
【図１】第１の実施形態に係るＭＦＰ１０のシステム構成例を示す図である。
【図２】第１の実施形態に係るメンテナンスモードにおけるＭＦＰ１０の電源供給状態の一例を示す図である。
【図３】第１の実施形態に係るＭＦＰ１０における通信履歴情報の一例を示す図である。
【図４】第１の実施形態に係るＭＦＰ１０におけるメンテナンスモードの間に保存される通信履歴情報及び付与される通し番号の一例を示す図である。
【図５】第２の実施形態に係るＭＦＰ１０におけるメンテナンスモードの間に保存される通信履歴情報及び付与される通し番号の一例を示す図である。
【図６】第１の実施形態に係るメンテナンスモード移行処理及び復帰処理の処理手順を示すフローチャートである。
【図７】第２の実施形態に係るメンテナンスモード移行処理及び復帰処理の処理手順を示すフローチャートである。
【発明を実施するための形態】
【００１０】
以下に本発明の一実施形態を示す。以下で説明される実施形態は、本発明の上位概念、中位概念及び下位概念など種々の概念を理解するために役立つであろう。また、本発明の技術的範囲は、特許請求の範囲によって確定されるのであって、以下の実施形態によって限定されるわけではない。
【００１１】
［第１の実施形態］
以下では、図１乃至図４、及び図６を参照して、本発明における第１の実施形態について説明する。本実施形態では、画像通信装置の一例として、デジタル複合機（ＭＦＰ：Ｍｕｌｔｉ  Ｆｕｎｃｔｉｏｎ  Ｐｅｒｉｐｈｅｒａｌ）について説明する。
【００１２】
＜画像通信装置の構成＞
まず、図１を参照して、ＭＦＰ１０の構成例及びその基本的な動作について説明する。ＭＦＰ１０は、ネットワーク（ＬＡＮ：Ｌｏｃａｌ  Ａｒｅａ  Ｎｅｔｗｏｒｋ）１２を介してＰＣ（ホストコンピュータ）１１と接続される。一般的に、ＭＦＰ１０は、ＬＡＮ１２に常時接続され、他のＭＦＰ（図示せず）、ＰＣ１１、及びサーバ（図示せず）とともにＬＡＮ１２上で運用される。また、ＭＦＰ１０には、通信ユニット（ＦＡＸユニット）５００が備えられ、公衆回線である電話網１３を介して外部装置である相手端末１４と相互に接続される。これにより、ＭＦＰ１０は、Ｇ３やＧ４方式等によるＦＡＸ通信を行うことが可能である。
【００１３】
ＭＦＰ１０は、画像データの入出力機能を有する。ＭＦＰ１０は、読取機能により原稿上の画像を画像データとして入力できる。また、ＭＦＰ１０は、ＰＣ１１や他のＭＦＰからＬＡＮ１２や電話網１３を介して画像データを受信することにより、画像データを入力できる。一方で、ＭＦＰ１０は、画像データの出力機能として、入力した画像データを用いて記録材（用紙）に対して画像形成（印刷）を行うことができる。また、ＭＦＰ１０は、入力した画像データをデジタルデータとしてＨＤＤ１０３等に保存し、又はＬＡＮ１２や電話網１３を介して他の機器へ転送できる。
【００１４】
コントローラ（制御）ユニット１００は、画像入力デバイスであるスキャナユニット２００、操作パネルユニット３００、画像出力デバイスであるプリンタユニット４００、及びＦＡＸユニット５００と接続され、これらのユニットを制御する。制御ユニット１００内部の各ユニットは内部バスで接続されて、内部バスを介して互いにデータを伝達する。
【００１５】
ＳＯＣ（Ｓｙｓｔｅｍ  Ｏｎ  Ｃｈｉｐ）１０１は、システム全体を制御するプロセッサ及びＡＳＩＣ（特定用用途向けＩＣ）を内蔵する。ＡＳＩＣは、ＲＡＭコントローラ、バスコントローラ、ＤＭＡコントローラ、Ｉ／Ｏポートコントローラ、ＨＤＤコントローラ、タイマ、割り込み処理、画像処理回路等の、ＭＦＰのシステム動作に必要な機能を有する。ＲＡＭ１０２は、ＳＯＣ１０１のシステムワークメモリ、画像データを一時記憶するための画像メモリとして用いられる。ＲＯＭ１０６は、ブートＲＯＭであり、システムのブートプログラムを格納する。ＨＤＤ１０３は、システムソフトウェア、画像データ、設定値等を格納する。ここで、システムソフトウェアは、コピー、スキャン、プリンタ、ＦＡＸ等の機能を実現するためのプログラムであり、ＳＯＣ１０１によってＲＡＭ１０２上に展開され、実行される。画像処理部１０５は、画像データの入出力の際に、画像データの符号化、復号化、ラスタライズ、回転、多値と２値との変換、変倍等の画像処理を行う。ＬＡＮＣ１０９は、ＬＡＮ１２と接続され、画像データの入出力、及び機器制御に関する情報の入出力を行う。また、ＬＡＮＣ１０９は、ＬＡＮ１２上のＰＣ１１、他のＭＦＰ、サーバとの間で、画像データの送受信を行うことが可能である。
【００１６】
操作パネルＩ／Ｆ１０８は、操作パネルユニット３００が接続されるインタフェースである。制御ユニット１００は、操作パネルＩ／Ｆ１０８を介して、操作パネル３０１に表示する画像データを操作パネル制御部３０２に対して出力する。操作パネル３０１は、ボタン、テンキー、タッチパネル等の入力装置を備える。ユーザはこれらを操作して、数値の入力やコピー処理の開始等の指示をＭＦＰ１０に対して与えることができる。操作パネル３０１を介して入力された指示は、操作パネルＩ／Ｆ１０８を介してＳＯＣ１０１へ送信される。ＳＯＣ１０１は、受信した指示に基づいて、機器全体の設定や機能の実行を指示する。ＳＯＣ１０１の制御により、例えば、印刷、複写（コピー）、スキャン、ＦＡＸ送信処理といった機能がＭＦＰ１０上で実現される。
【００１７】
プリンタＩ／Ｆ１０４は、プリンタユニット４００が接続されるインタフェースである。プリンタＩ／Ｆ１０４は、プリンタユニット４００のプリンタ制御部４０１との間で、プリンタ４０２の状態情報の取得及びプリンタ４０２への命令の送出等の通信を行う。また、プリンタＩ／Ｆ１０４は、画像データに関して同期系／非同期系の変換を行い、プリンタユニット４００へ印刷データを送信する。
【００１８】
スキャナＩ／Ｆ１０７は、スキャナユニット２００が接続されるインタフェースである。スキャナＩ／Ｆ１０７は、スキャナユニット２００のスキャナ制御部２０１との間で、スキャナ２０４の状態情報の取得及びスキャナ２０４への命令の送出等の通信を行う。また、スキャナＩ／Ｆ１０７は、画像データに関して同期系／非同期系の変換を行い、スキャナ２０４で読み取ったデータをＳＯＣ１０１へ送信する。
【００１９】
スキャナユニット２００は、スキャナ制御部２０１、画像処理部２０２、スキャナ用モータ２０３、及びスキャナ２０４を備える。スキャナ２０４は、原稿を光学的に読み取り（スキャン）、スキャナ用モータ２０３は、自動原稿送り装置や原稿台内のスキャナ装置を駆動する。また、スキャナ制御部２０１は、画像処理部２０２、スキャナ用モータ２０３、及びスキャナ２０４の動作を制御する。画像処理部２０２は、例えば、スキャナ２０４で読み取った画像データに対するＡ／Ｄ変換やシェーディング処理といった画像処理を実行する。画像処理が施された画像データは、スキャナ制御部２０１を介して制御ユニット１００へ転送される。
【００２０】
ＭＦＰ１０は、ユーザからのスキャン指示に応じてスキャン機能を実行する。ユーザが原稿をＭＦＰ１０にセットし、操作パネル３０１やＰＣ１１を介してスキャン指示を行うと、当該指示がＳＯＣ１０１へ伝達される。ＳＯＣ１０１は、スキャナＩ／Ｆ１０７を介してスキャナ制御部２０１へ所定の命令を送信し、これによりスキャナ２０４で原稿の読み取りが開始される。読み取られた画像データは、画像処理部２０２で所定の画像処理が施された後に、スキャナＩ／Ｆ１０７を介してＨＤＤ１０３へ格納又はＰＣ１１へ送信される。
【００２１】
また、ＭＦＰ１０は、ユーザからのコピー指示に応じてコピー機能を実行する。ユーザが原稿をＭＦＰ１０にセットし、操作パネル３０１やＰＣ１１を介してコピー指示を行うと、当該指示がＳＯＣ１０１へ伝達される。ＳＯＣ１０１は、スキャナＩ／Ｆ１０７を介してスキャナ制御部２０１へ所定の命令を送信し、これによりスキャナ２０４で原稿の読み取りが実行される。読み取られた画像データは、画像処理部２０２で所定の画像処理が施された後に、スキャナＩ／Ｆ１０７を介してＨＤＤ１０３へ格納される。さらに、ＳＯＣ１０１は、ＨＤＤ１０３の画像データに対して、画像処理部１０５において所定の画像処理を施した後に、プリンタＩ／Ｆ１０４を介してプリンタユニット４００へ送信する。プリンタ制御部４０１は、受信した画像データを用いてプリンタ４０２で用紙へ印刷する。
【００２２】
なお、印刷枚数に応じた課金処理のために、カウンタ値を不揮発性メモリ１１１に保存する。不揮発性メモリの回路素子は、電源の遮断後も記憶内容を保持し続けることが可能な素子であればよく、例えば、ＳＳＤ（半導体ディスク）、ＨＤＤ、ＦＲＡＭ、フラッシュメモリ、ＥＥＰＲＯＭ等の不揮発性メモリが使用され得る。また、不揮発性メモリの代わりに、電池等によりバックアップされたＳＲＡＭ等も使用され得る。後述するＦＡＸユニットの不揮発性メモリ５０５も同様の何れかの回路素子により実現できる。
【００２３】
電源ユニット６００は、各ユニットに対してその動作に必要な電力を供給する。電源ユニット６００は、電源コンセント（１００Ｖ、２００Ｖ等）等の電源１５から供給される電力信号に対してＡＣ−ＤＣ変換、ＤＣ−ＤＣ変換を行う。さらに、各ユニットとの間で送受信する制御信号や電源スイッチ６０２及びメンテナンス用スイッチ６０３の操作に基づいて、各ユニットへ電力の供給及び遮断を行う。図１の点線の各矢印は、電力供給ラインを示している。矢印６１１はＦＡＸユニット５００、矢印６１２は制御ユニット１００、矢印６１３はプリンタユニット４００、矢印６１４は操作パネルユニット３００、及び矢印６１５はスキャナユニット２００に対する電源入力である。ここで、ＭＦＰ１０では、一例として、スキャナユニット２００及び操作パネルユニット３００に対して、電源ユニット６００から制御ユニット１００を介して電力が供給されている。なお、プリンタユニット４００に対しては、必要に応じて交流電源（ＡＣ）が供給される。
【００２４】
電源制御部６０１は、ＭＦＰ１０の状態に応じて電力の供給及び遮断の制御を行う。例えば、電源制御部６０１は、制御ユニット１００からＳＯＣ１０１のＩ／Ｏポートを介して送受信する制御信号６２２に基づいて電源のＯＮ、ＯＦＦを制御する。また、プリンタユニット４００及びＦＡＸユニット５００との間で送受信する制御信号６２１、６２３に基づいて、電源のＯＮ、ＯＦＦを制御することも可能である。なお、電源制御部６０１は、これらの制御信号を利用して、使用中でないユニットや回路に対する電力供給のみを遮断した省電力状態へ移行し、又は当該省電力状態から復帰する制御を実現できる。また、電源制御部６０１は、後述する保守管理モード（メンテナンスモード）へ移行し、又は当該モードから復帰する場合にも、それらの制御信号を利用して電力供給を制御する。
【００２５】
ＦＡＸユニット５００は、制御ユニット１００のＳＯＣ１０１の制御に応じて、電話網１３に接続された相手端末１４との間でＦＡＸ通信の送信及び受信を行う。制御ユニット１００とＦＡＸユニット５００との間では、通信Ｉ／Ｆ１１０、５０１を介して命令及び応答の送受信が可能である。これにより、制御ユニット１００及びＦＡＸユニット５００は、互いの状態を確認することが可能である。なお、ここでは、ＦＡＸユニット５００は、電話網１３に接続された相手端末１４との間でＦＡＸ通信の送信及び受信を行うユニットとして説明したがこれに限らない。コントローラユニット１００にあるＬＡＮＣ１０９と同様の機能をＦＡＸユニットに内蔵することで、ＬＡＮ１２上のＰＣ１１、他のＭＦＰ、サーバとの間で、画像データの送受信を行うように構成してもよい。
【００２６】
ＳＯＣ５０８は、制御ユニット１００のＳＯＣ１０１と同等の機能を有する。なお、生産性向上のため、ＳＯＣ５０８は、ＳＯＣ１０１より機能が制限されていたり、又は処理能力が低いものであってもよい。ＳＯＣ５０８は、内部にＣＰＵを備え、ＲＯＭ１０６からプログラムを読み出して当該ＣＰＵで実行することにより、通信の動作を制御する。また、ＲＡＭ５０７は、ＳＯＣ５０８のワーク領域や画像データを一時的に格納する領域として使用される。なお、ＲＡＭ５０７は、停電時に画像データが消滅することを防止するために、２次電池等により通電されていてもよい。以下の説明においては、説明の簡略化のためにＦＡＸ通信の例について説明するが、これに限らない。Ｅメール、ＦＴＰなど異なるプロトコル通信を行う場合でも同様である。
【００２７】
（ＦＡＸ通信の制御）
ユーザーが原稿をＭＦＰ１０にセットし、操作パネル３０１やＰＣ１１を介してＦＡＸ送信指示を行うと、当該指示がＳＯＣ１０１へ送られる。ＳＯＣ１０１は、スキャナＩ／Ｆ１０７を介してスキャナ制御部２０１へ所定の命令を送信し、これによりスキャナ２０４で原稿の読み取りが実行される。読み取られた画像データは、画像処理部２０２で所定の画像処理が施された後に、スキャナＩ／Ｆ１０７を介してＨＤＤ１０３へ格納される。さらに、ＳＯＣ１０１は、ＨＤＤ１０３の画像データを通信Ｉ／Ｆ１１０を介してＦＡＸユニット５００の通信Ｉ／Ｆ５０１へ転送する。ＦＡＸユニット５００のＳＯＣ５０８は、当該画像データをＲＡＭ５０７へ格納する。ＳＯＣ５０８は、当該画像データを用いて、ＦＡＸ送信を実行する。
【００２８】
ＦＡＸ送信の際に、ＳＯＣ５０８は、モデム５０３及びＮＣＵ（Ｎｅｔｗｏｒｋ  Ｃｏｎｔｒｏｌ  Ｕｎｉｔ）５０４を制御することにより、相手端末１４の電話番号に基づいて発呼する。ＳＯＣ５０８は、電話網１３を介して相手端末１４に対して呼を接続した後に、ＩＴＵ−Ｔ勧告Ｔ．３０、Ｖ．３４、Ｖ．１７等に基づくＦＡＸ通信を実行する。具体的には、ＳＯＣ５０８は、ＲＡＭ５０７に蓄積した画像データをモデム５０３へ転送し、モデム５０３において、当該画像データを用いて変復調を実行する。これにより、相手端末１４との間でＦＡＸ通信による画像伝送が行われる。
【００２９】
一方で、ＦＡＸ受信の際に、ＭＦＰ１０の電話番号を用いた相手端末１４からの発呼によって、電話網１３からＮＣＵ５０４に呼出信号が入力される。ＮＣＵ５０４は、当該呼出信号を検知した旨をＳＯＣ５０８へ通知する。これに対して、ＳＯＣ５０８は、モデム５０３、ＮＣＵ５０４を制御することにより、相手端末１４からＦＡＸ受信を行う。受信された画像データは、モデム５０３及びＳＯＣ５０８を介してＪＢＩＧ、ＭＭＲ、ＭＲ、ＭＨ等の符号化データのままＲＡＭ５０７へ蓄積される。さらに、当該画像データは、通信Ｉ／Ｆ５０１を介して通信Ｉ／Ｆ１２０へ転送され、ＨＤＤ１０３へ格納される。なお、転送の間に符号化データのエラーチェック等が実行されてもよい。ＳＯＣ１０１は、ＨＤＤ１０３の符号化データを復号し、画像処理部１０５において所定の画像処理を施した後に、プリンタＩ／Ｆ１１６を介して当該データをプリンタユニット４００へ送信する。プリンタ制御部４０１は、受信した画像データを用いてプリンタ４０２で用紙に印刷する。
【００３０】
（通信履歴情報の生成）
ここで、ＳＯＣ５０８は、ＦＡＸ通信における送受信の際に、ＦＡＸユニット５００において通信ごとに通信履歴情報を生成する。当該通信履歴情報は、通常、メモリ容量の制限に起因してＦＡＸユニット５００内のメモリで管理することが難しいため、大容量のＨＤＤ１０３等で管理される。即ち、ＦＡＸユニット５００で生成された通信履歴情報は、ＲＡＭ５０７に一時的に保存された後に、制御ユニット１００へ転送され、ＨＤＤ１０３へ格納される。図３に示すように、通信履歴情報には、例えば、通信開始時刻、相手先アドレス（相手先の電話番号）、通信モード、通信枚数、及び通信結果の各情報が含まれる。ここで、通信開始時刻は、ＲＴＣ（Ｒｅａｌ  Ｔｉｍｅ  Ｃｌｏｃｋ）５０２において取得される情報であり、通信結果は、通信の成否を示す情報である。また、相手先の電話番号は、ＦＡＸ通信におけるＤＩＳ、ＤＣＳ信号に含まれる。通信モードは、送信又は受信を示す情報である。なお、通信履歴情報には、通信時間を示す情報等のその他の情報が含まれていてもよい。
【００３１】
ＭＦＰ１０は、通信履歴情報の管理の利便性の向上のために、図３に示すように、通信ごとの通信履歴情報に対して、通信回数を示す通し番号を付与する。ＳＯＣ１０１は、後述する通常モードにおいて、ＦＡＸ通信の送受信を行った場合に、ＦＡＸユニット５００から転送された通信履歴情報をＨＤＤ１０３へ格納する際に、当該通信履歴情報に対して通し番号を付与して格納する。具体的には、ＳＯＣ１０１は、ＨＤＤ１０３に既に記憶されている通信履歴情報に付与された通し番号に基づいて、新たに格納する通信履歴情報に付与する通し番号を生成する。例えば、既にＨＤＤ１０３に記憶されている通信履歴情報における最新の通し番号が「５０００」である場合、新たに格納する通信履歴情報に付与する通し番号として「５００１」を生成する。通し番号は、例えば、図３に示すように、送信用及び受信用で別々に生成及び付与されてもよい。ＭＦＰ１０は、送信用及び受信用の、通信ごとの通信履歴情報を生成するとともに、ＭＦＰ１０の管理者に対して必要に応じて参照可能とすることができる。これにより、例えば、通信履歴情報をＭＦＰ１０におけるセキュリティ管理やＦＡＸ通信に関連する費用の管理及び調査に利用可能にすることができる。
【００３２】
ＦＡＸユニット５００で、Ｅメール通信を行う場合について説明する。この場合、コントローラユニット１００にあるＬＡＮＣ１０９と同様の機能をＦＡＸユニットに内蔵することで、ＬＡＮ１２上のＰＣ１１、他のＭＦＰ、サーバとの間で、画像データの送受信を行うことができる。Ｅメール送信の際には、ＳＯＣ５０８は、ＦＡＸユニットに内蔵されたＬＡＮＣ１０９と同様の機能を実行するＬＡＮコントロールユニット（不図示）を制御することにより、相手端末１４のメールアドレス又はＩＰアドレスに基づいて送信する。ＳＯＣ５０８は、ＬＡＮ１２を介して不図示のメールサーバやＰＣ１１に、ＳＭＴＰなどのプロトコルに従って、Ｅメール通信を実行する。具体的には、ＳＯＣ５０８は、ＲＡＭ５０７に蓄積した画像データをＬＡＮコントロールユニットへ転送し、モデム５０３において、当該画像データを用いて変復調を実行する。これにより、ＰＣ１１との間でＥメール通信による画像伝送が行われる。
【００３３】
一方で、Ｅメール受信の際に、ＳＯＣ５０８は、ＰＯＰサーバ（不図示）にＭＦＰ１０宛のＥメールの有無を問い合わせる。ＳＯＣ５０８は、ＭＦＰ１０宛のＥメールがある場合は、ＬＡＮコントロールユニット（不図示）を制御することにより、Ｅメール受信を行う。受信されたＥメールは、ＲＡＭ５０７へ蓄積される。さらに、当該Ｅメールデータは、通信Ｉ／Ｆ５０１を介して通信Ｉ／Ｆ１２０へ転送され、ＨＤＤ１０３へ格納される。なお、転送の間に符号化データのエラーチェック等が実行されてもよい。ＳＯＣ１０１は、ＨＤＤ１０３の符号化データを復号し、画像処理部１０５において所定の画像処理を施した後に、プリンタＩ／Ｆ１１６を介して当該データをプリンタユニット４００へ送信する。プリンタ制御部４０１は、受信したＥメールデータを用いてプリンタ４０２で用紙に印刷する。
【００３４】
なお、Ｅメールの送信及び受信に関連する通信履歴情報は、ＦＡＸ通信の場合と同様に管理される。
【００３５】
＜画像通信装置の動作モード＞
次に、本実施形態に係るＭＦＰ１０における動作モードについて図２を参照して説明する。ＭＦＰ１０は、通常の動作モード（通常モード）において、電源ユニット６００以外の全てのユニット（図１及び図２において、例えば、制御ユニット１００、スキャナユニット２００、操作パネルユニット３００、プリンタユニット４００、及びＦＡＸユニット５００）に対して、電源ユニット６００から電力を供給する。ＭＦＰ１０においては、性能の維持や機能の向上のために、例えば、プリンタユニット４００の点検、及び制御ユニット１００のＲＡＭ１０２、ＲＯＭ１０６等の部品の交換といった保守管理（メンテナンス）作業が必要な場合がある。その場合、ＭＦＰ１０の保守管理を担当するサービスマン等の操作者がＭＦＰ１０に対して何らかのメンテナンス作業を行うためには、ＭＦＰ１０の電源を一時的に停止する必要がある。本実施形態に係るＭＦＰ１０は、メンテナンスの際に、電源の停止によってＦＡＸ通信が実行不可能となる不都合を防止するために、メンテナンス用の動作モードである保守管理モード（メンテナンスモード）を有する。ここでは、保守管理モードとして説明するがこれに限らない。コントローラユニット１００への電源供給を遮断し、ＦＡＸユニット５００への電源供給を維持しているモードであればよい。なお、本実施形態において、通常モードは第１のモードに相当し、メンテナンスモードは第２のモードに相当する。
【００３６】
図２において、斜線部はメンテナンスモードにおいて通電されている部分を示している。図２に示すように、メンテナンスモードへ移行中のＭＦＰ１０では、電源ユニット６００からＦＡＸユニット５００にのみ電力が供給され、他のユニットに対する電力の供給は停止される。通常モードで動作中のＭＦＰ１０をメンテナンスモードに移行させるために、例えば、図１に示すように、電源制御部６０１に接続されたメンテナンス用スイッチ６０３をＭＦＰ１０に対して設ければよい。本実施形態に係るＭＦＰ１０は、メンテナンス用スイッチ６０３が操作者によって操作されると、通常モードからメンテナンスモードへ移行する。また、メンテナンスモードにおいて、メンテナンス用スイッチ６０３又は電源スイッチ６０２が操作されると、ＭＦＰ１０は、メンテナンスモードから通常モードへ復帰する。このように、本実施形態に係るＭＦＰ１０は、ＦＡＸユニット５００に対して電源の供給を継続したまま、通常モードからメンテナンスモードへの移行、及びメンテナンスモードから通常モードへの復帰を行うことを特徴とする。これにより、ＦＡＸユニット５００は、メンテナンス中においても継続してＦＡＸ通信の送受信を行うことができる。さらに、ＦＡＸユニットにＬＡＮＣ１０９の機能を内蔵した場合は、メンテナンス中において継続してＥメール通信などＬＡＮ経由の通信を行うこともできる。
【００３７】
なお、上述の移行処理及び復帰処理は、操作パネル３０１に設けられた何れかの入力装置を介した操作に基づいて実行可能としてもよい。あるいは、メンテナンス用スイッチ６０３が、操作パネル３０１に設けられていてもよい。これらの場合、電源制御部６０１は、メンテナンスモードにおいて、ＦＡＸユニット５００に加えて操作パネルユニット３００に対しても電力を供給すればよい。
【００３８】
上述のように、ＭＦＰ１０は、ＦＡＸ通信の送受信を行う場合に、ＦＡＸユニット５００において通信履歴情報を生成する。通常モードにおいて、ＭＦＰ１０は、生成した通信履歴情報を制御ユニット１００のＨＤＤ１０３に保存する。その際に、制御ユニット１００は、当該履歴情報に対して、制御ユニット１００において固有の通し番号を付与して管理する。一方で、メンテナンスモードにおいて、ＭＦＰ１０は、電源ユニット６００から制御ユニット１００に対する電力供給を停止するため、通信履歴情報をＨＤＤ１０３に保存することができない。このため、本実施形態に係るＭＦＰ１０は、メンテナンスモードにおいて生成した通信履歴情報を、ＦＡＸユニット５００の内部メモリである不揮発性メモリ５０５に一時的に格納する。その後、ＭＦＰ１０は、メンテナンスモードから通常モードへ復帰する際に、不揮発性メモリ５０５に格納された通信履歴情報をＨＤＤ１０３へ転送して格納する。当該処理により、ＨＤＤ１０３で管理している通信履歴情報から、メンテナンスモードにおいて生成した通信履歴情報が欠落することを防止する。これにより、本実施形態に係るＭＦＰ１０は、メンテナンスモードへの移行前、及びメンテナンスモードの間の通信履歴情報の整合性を確保する。なお、通信履歴情報の一時保存用の内部メモリとして、不揮発性メモリ５０５の代わりにＲＡＭ５０７を使用してもよい。なお、ここで、当該内部メモリは一時記憶手段に相当する。
【００３９】
また、上述のメンテナンスモードの処理では、特に通し番号の管理が問題となる。メンテナンスモードにおいて、ＦＡＸユニット５００は、生成した通信履歴情報を不揮発性メモリ５０５で一時的に管理するために、当該通信履歴情報に対して通し番号を付与する必要がある。その際に、ＦＡＸユニット５００は、電力供給が停止されたＨＤＤ１０３に格納された通信履歴情報の最新の通し番号を参照することはできない。このため、本実施形態では、ＦＡＸユニット５００は、生成した通信履歴情報に対して、ＦＡＸユニット５００において固有の通し番号を一時的に付与する。その場合、メンテナンスモードの間にＦＡＸユニット５００において通信履歴情報に対して付与した通し番号と、ＨＤＤ１０３に記憶された通信履歴情報の通し番号との整合性が確保できなくなる問題が生じる。そこで、本実施形態に係るＭＦＰ１０では、メンテナンスモードから通常モードへ復帰する際に、ＨＤＤ１０３に格納している通信履歴情報の通し番号と連続した値となるように、不揮発性メモリ５０５からＨＤＤ１０３へ転送した通信履歴情報の通し番号を変更する。以下では、上述の処理についてより詳細に説明する。
【００４０】
＜メンテナンスモード移行処理及び復帰処理＞
次に、図６を参照して、本実施形態に係るＭＦＰ１０における通常モードからメンテナンスモードへの移行処理、及びメンテナンスモードから通常モードへの復帰処理の手順について説明する。図６において、Ｓ１０１〜Ｓ１０８は制御ユニット１００、Ｓ１５１〜Ｓ１５５はＦＡＸユニット５００における処理手順を示し、これらの処理は、それぞれのＳＯＣ１０１、５０８の制御により実行される。なお、図６の破線は、制御ユニット１００とＦＡＸユニット５００との間で送受信される制御信号及びデータの流れを示している。
【００４１】
（通常モードからメンテナンスモードへの移行）
まず、処理の開始に際し、ＭＦＰ１０は通常モードで動作中とする。Ｓ１０１で、ＳＯＣ１０１は、操作者によって通常モードからメンテナンスモードへの移行指示がなされたか否かを判定する。当該指示は、例えば、操作パネル３０１又はメンテナンス用スイッチ６０３の操作を介して操作者によって入力される。ＳＯＣ１０１は、これらの入力を検出した場合、メンテナンスモードへの移行指示がなされたと判定する。Ｓ１０１で、ＳＯＣ１０１は、移行指示がなされていないと判定した場合、通常モードを継続し、当該判定処理を繰り返す。一方で、移行指示がなされたと判定した場合、Ｓ１０２へ移行する。
【００４２】
Ｓ１０２で、ＳＯＣ１０１は、メンテナンスモードへ移行するとともに、ＦＡＸユニット５００に対してメンテナンスモードへの移行命令を送信する。ここで、ＳＯＣ１０１は、ＭＦＰ１０上で何らかのジョブ（コピー、スキャン、印刷、ＦＡＸ通信等）を実行中の場合、当該ジョブの実行完了を待ってから、メンテナンスモードへの移行を開始してもよい。その場合、ＳＯＣ１０１は、当該ジョブの完了後に、メンテナンスモードへの移行及びＦＡＸユニット５００に対する移行命令の送信を行う。あるいは、ＳＯＣ１０１は、当該ジョブを強制的に終了させてメンテナンスモードへ移行してもよい。
【００４３】
Ｓ１０２で、ＳＯＣ１０１は、メンテナンスモードへ移行する際に、制御信号６２２を使用して電源制御部６０１を制御し、図２に示すように、ＦＡＸユニット５００以外の各ユニットに対する電源ユニット６００からの電力供給を停止する制御を行う。その後、Ｓ１０３へ移行する。
【００４４】
なお、メンテナンスモードの間にタイマ送信や同報送信を実行する場合には、ＳＯＣ１０１は、制御ユニット１００からＦＡＸユニット５００へ送信画像データ及び宛先データ等を送信し、ＲＡＭ５０７へ予め格納してもよい。また、ＳＯＣ１０１は、メンテナンスモードからの復帰の際に、電源ＯＦＦ状態からの起動ではなくメンテナンスモードからの復帰であることを示す情報を、何れかの記憶部に記憶させてもよい。例えば、ＳＯＣ１０１は、メンテナンスモードへの移行の際に、メンテナンスモードへ移行中であることを示すフラグを不揮発性の記憶部（不揮発性メモリ１１１又はＨＤＤ１０３）に保存してもよい。あるいは、当該フラグを電源制御部６０１内の不揮発性メモリ（図示せず）に保存してもよい。
【００４５】
ＭＦＰ１０がメンテナンスモードへ移行すると、Ｓ１０３において、操作者によってＭＦＰ１０に対して上述の何らかのメンテナンス作業が実行される。当該処理は、Ｓ１０４で、操作者によってメンテナンスモードからの復帰指示がなされるまで継続される。
【００４６】
ここで、ＦＡＸユニット５００における処理について説明する。通常モードで動作中のＦＡＸユニットにおいて、ＳＯＣ５０８は、Ｓ１５１で、制御ユニット１００からメンテナンス移行命令を受信したか否かを繰り返し判定する。ここで、ＳＯＣ５０８は、メンテナンスモード移行命令を受信していないと判定した場合、通常モードの動作を継続し、当該判定処理を繰り返す。一方で、制御ユニット１００からメンテナンス移行命令を受信したと判定した場合、Ｓ１５２へ移行する。
【００４７】
Ｓ１５２で、ＳＯＣ５０８は、メンテナンスモードへ移行する。その際に、ＳＯＣ５０８は、後述する通信履歴情報に付与する通し番号を適当な初期値（例えば、０）で初期化する。なお、当該初期値は、ＦＡＸユニット５００だけでなく、制御ユニット１００においても既知の値である。その後、Ｓ１５３へ移行する。Ｓ１５３で、ＳＯＣ５０８は、制御ユニット１００と通信を行わず、独自の制御によってＦＡＸ通信の送受信動作を実行する。即ち、ＳＯＣ５０８は、電源制御部６０１からの電力供給によって、メンテナンスモードにおいても継続してＦＡＸ通信を実行する。
【００４８】
ＳＯＣ５０８は、ＦＡＸ送信を行う場合、メンテナンスモードへの移行前に制御ユニット１００からＲＡＭ５０７へ格納された画像データを、指定された宛先に送信する。一方で、ＦＡＸ受信を行う場合、受信した画像データと送受信ごとの通信履歴情報を、不揮発性メモリ５０５に保存する。ここで、ＳＯＣ５０８は、ＦＡＸ通信の送受信ごとの通信履歴情報を不揮発性メモリ５０５に一時的に格納する。その際、当該通信履歴情報に対して、ＦＡＸユニット５００固有の通し番号を通信履歴情報に対して付与して保存する。なお、当該格納処理は、一時格納手段による処理に相当する。
【００４９】
ここで、図４は、ＦＡＸ送信用及び受信用で別々に、通信履歴情報に通し番号を付与して管理し、初期値としてそれぞれ０を設定した場合を示している。また、図４では、通し番号０に対応する通信履歴情報の各項目に対しても０を設定し、不揮発性メモリ５０５に予め格納した場合を示している。この場合、ＳＯＣ５０８は、新たなＦＡＸ送信又は受信が生じるごとに、不揮発性メモリ５０５に格納された最新の通し番号を参照して、当該通し番号を＋１増加させた整数値を順に通信履歴情報に付与すればよい。ここでは通信ユニット５００が、通し番号を付与して管理するする例について説明したがこれに限らない。一定の規則によって識別情報を発行するように構成されておればよい。ここでは、ＦＡＸ送信用及び受信用で別々に、通信履歴情報に通し番号を付与して管理する例について説明したが、これに限らない。メンテナンスモード中に実行した通信を、通信ごとにアルファベットなどの文字列を用いて、識別できるようにしてもよい。あるいは乱数などを用いて通信ごとに識別できるようにしてもよい。ここでは、ＳＯＣ５０８は、メンテナンスモード中に実行した個々の通信を識別できるように、電源ＯＦＦ状態になっているＳＯＣ１０１の制御と無関係に識別情報を付与できればよい。また、制御ユニット１００も、一定の規則によって識別情報を発行するように構成してもよい。（その場合、例えばＳＯＣ１０１が識別情報発行手段として機能する。）その際、通信ユニット５００でも同じ規則に従って識別情報を発行するように構成してもよい。
【００５０】
その後、ＳＯＣ５０８は、Ｓ１５４で、制御ユニット１００からメンテナンスモードから通常モードへ復帰する旨の命令を受信したか否かを繰り返し判定する。ここで、ＳＯＣ５０８は、メンテナンスモード復帰命令を受信していないと判定した場合、Ｓ１５３のメンテナンスモードの動作を継続し、当該判定処理を繰り返す。一方で、制御ユニット１００からメンテナンス復帰命令を受信したと判定した場合、Ｓ１５５へ移行する。なお、使用可能なメモリの容量が不足した場合、ＳＯＣ５０８は、通信中の相手端末に対してエラーを示す信号を送信し、ＦＡＸ通信を中止してもよい。また、その場合、その後の送受信を禁止してもよい。
【００５１】
また、ＭＦＰ１０は、メンテナンスモードの間にＦＡＸ通信の送受信が行われた場合に、そのこと示す情報をユーザや操作者に通知する処理を実行してもよい。当該処理として、例えば、ＭＦＰ１０のＦＡＸユニット５００又は電源ユニット６００に対してスピーカやＬＥＤを設け、スピーカの鳴動やＬＥＤの点滅させればよい。これにより、メンテナンスモードの間にＦＡＸ通信が行われたことをユーザが容易に確認することができるので、利便性を向上させることができる。
【００５２】
また、ＦＡＸユニット５００の外部Ｉ／Ｆ５０９に対してＵＳＢメモリ、フラッシュメモリ等の記憶媒体を接続し、受信した画像データを当該記憶媒体へ保存できるようにしてもよい。あるいは、外部Ｉ／Ｆ５０９にＵＳＢケーブル等の通信ケーブルを接続し、受信した画像データをＰＣ等の外部機器に保存できるようにしてもよい。その結果、メンテナンスの所要時間が長期化しそうな場合等において、上述のようにＦＡＸユニット５００のメモリ容量の不足によりＦＡＸ通信が中止されることを回避できる。
【００５３】
（メンテナンスモードから通常モードへの復帰）
ここで、再び制御ユニット１００における処理の説明に戻る。なお、Ｓ１０４及びＳ１０５においては、制御ユニット１００に対する電源供給は停止されているので、電源制御部６０１の制御により処理が実行される。Ｓ１０４で、電源制御部６０１は、操作者によってメンテナンスモードから通常モードへの復帰指示がなされたか否かを判定する。当該指示は、操作パネル３０１、電源スイッチ６０２又はメンテナンス用スイッチ６０３の操作を介して操作者によって入力される。Ｓ１０４で、ＳＯＣ１０１は、復帰指示がなされていないと判定した場合、Ｓ１０３へ戻ってメンテナンスモードを継続する。一方で、復帰指示がなされたと判定した場合、Ｓ１０５へ移行する。Ｓ１０５で、電源制御部６０１は、メンテナンスモードから通常モードへ復帰するために、ＦＡＸユニット５００以外の各ユニットに対して電力供給を再開する。これにより、制御ユニット１００による制御も再開する。その後、Ｓ１０６へ移行する。
【００５４】
なお、ＳＯＣ１０１は、制御ユニット１００に対する電源供給が再開された場合に、上述のＳ１０２で不揮発性メモリ１１１等に記憶したフラグを参照することにより、電源ＯＦＦ状態からの起動、又はメンテナンスモードからの復帰の何れかを判定してもよい。その場合、ＳＯＣ１０１は、電源ＯＦＦ状態からの復帰と判定した場合には、ＦＡＸユニット５００を通信Ｉ／Ｆ１１０を介して初期化する。一方で、メンテナンスモードからの復帰と判定した場合には、ＦＡＸユニット５００の初期化は行わない。
【００５５】
Ｓ１０６で、ＳＯＣ１０１は、ＦＡＸユニット５００ユニットに対して、通信Ｉ／Ｆ１１０を介してメンテナンスモードから復帰すべき旨の命令を送信する。その後、Ｓ１０７へ移行し、ＳＯＣ１０１は、メンテナンスモードの間のＦＡＸ送受信に関する通信履歴情報及び受信した画像データが、ＦＡＸユニット５００から受信されるまで待機する。
【００５６】
上述のメンテナンスモード復帰命令を受信すると、ＦＡＸユニット５００のＳＯＣ５０８は、Ｓ１５４からＳ１５５へ制御を移行する。Ｓ１５５で、ＳＯＣ５０８は、メンテナンスモードから通常モードへの復帰する処理を開始する。具体的には、ＳＯＣ５０８は、メンテナンスモードにおいて不揮発性メモリ５０５に一時的に格納した通信履歴情報と受信データとを制御ユニット１００へ送信する。ＳＯＣ５０８は、当該情報の送信後に、不揮発性メモリ５０５に格納した当該情報を削除し、メモリ領域を解放する。通常モードに復帰すると、ＦＡＸユニット５００は、再び制御ユニット１００の制御に基づいてＦＡＸ通信を行う。
【００５７】
一方で、制御ユニット１００においてＳＯＣ１０１は、Ｓ１０７で、ＦＡＸユニット５００から通信履歴情報と受信データとを受信したか否かを判定する。ここで、当該通信履歴情報と受信データとを受信していないと判定した場合、当該判定処理を繰り返す。一方で、それらのデータを受信したと判定した場合、Ｓ１０８へ移行する。
【００５８】
Ｓ１０８で、ＳＯＣ１０１は、受信した通信履歴情報の通し番号と、メンテナンスモードへの移行前にＨＤＤ１０３へ格納された通信履歴情報の通し番号との整合性を確保するために、受信した通信履歴情報の通し番号を変更する。具体的には、両方の通し番号が連続した値となるように、受信した通信履歴情報の通し番号を変更する。さらに、ＳＯＣ１０１は、メンテナンスモードにおいて受信した画像データをプリンタ４０２で印刷する制御を行う。
【００５９】
例えば、ＨＤＤ１０３に格納されている送信用の通信履歴情報に付与された最新の通し番号が４９９９である場合、受信した通信履歴情報の通し番号を、５０００から始まる連続した値となるように変更すればよい。ここで、ＳＯＣ１０１は、図４に示す送信用の通信履歴情報を受信した場合には、初期値０から連続する通し番号１〜３の通信履歴情報となっているので、それらの通し番号を５００１〜５００３へ変更すればよい。また、受信用の通信履歴情報の通し番号についても同様の変更処理を実行する。これらの処理により、通し番号の変更後の通信履歴情報は、図３に示すようなデータとなる。その後、ＳＯＣ１０１は、受信した各通信履歴情報と、それらに付与された変更後の通し番号とをＨＤＤ１０３へ格納する。以上の処理により、制御ユニット１００及びＦＡＸユニット５００を含むＭＦＰ１０は通常モードに復帰し、当該モードによる動作を継続する。
【００６０】
なお、ＦＡＸユニット５００から受信した通信履歴情報に付与された送信用又は受信用の通し番号が０のままである場合には、これはメンテナンスモードにおいてＦＡＸ通信の送信又は受信が行われなかったことを意味する。さらに、ＳＯＣ１０１は、受信した画像データを、電力供給を開始されたプリンタ４０２から印刷してもよく、併せて通信履歴情報をＦＡＸ通信結果レポートとして印刷してもよい。また、通信履歴情報を印刷するか否かを、ユーザが任意に設定できるようにしてもよい。
【００６１】
ここでは、ＦＡＸ通信について説明したがこれに限らない。ＦＡＸユニットにＬＡＮＣ１０９の機能を内蔵した場合は、ＬＡＮを介した通信にも適用できる。
【００６２】
また、ここでは、メンテナンスモードへの移行前にＨＤＤ１０３へ格納された通信履歴情報の通し番号との整合性を確保するために、受信した通信履歴情報の通し番号を変更する例について説明したがこれに限らない。メンテナンスモードにおいて、ＦＡＸユニット５００によって付与されたアルファベットや乱数などで示される固有の識別情報を、ＳＯＣ１０１で管理する管理形式に従った固有の識別情報に変更できるようにすればよい。
【００６３】
さらに、Ｓ１５５で、ＳＯＣ５０８が、メンテナンスモードにおいて実行した通信履歴情報と受信データとを制御ユニット１００へ送信することによって、制御ユニット１００が通信履歴情報を受信する例について説明したがこれに限らない。メンテナンスモードから復帰したＳＯＣ１０１が、メンテナンスモードにおいて実行した通信履歴情報を読み出すことによって受信するようにしてもよい。
【００６４】
さらに、ここでは、通常モードとメンテナンスモード（保守管理モード）について説明したが、これに限らない。通信履歴情報を管理しているユニットと通信ユニットがともに動作しているモードと、通信履歴情報を管理しているユニットが停止し通信ユニットが動作している状態との２つの状態のそれぞれにおいて、本実施形態の制御が適用されればよい。即ち、その場合、通常モードを「通信履歴情報を管理しているユニットと通信ユニットがともに動作している状態」と読み替え、メンテナンスモードを「通信履歴情報を管理しているユニットが停止し通信ユニットが動作している状態」と読み替えればよい。
【００６５】
以上説明したように、本実施形態に係る画像通信装置は、外部装置との間で通信する通信ユニットに電力を供給し、制御ユニットに対する電力供給を停止するモードにおいて、通信ごとの通信履歴情報を通信ユニット内で一時的に管理する。その際、当該通信履歴情報に対して、通信ユニットにおいて固有の識別情報を付与する。さらに、保守管理モードから通常モードへ復帰する際に、制御ユニットは当該通信履歴情報を取得するとともに、制御ユニットの記憶装置で管理する通信履歴情報の識別情報となるように通信履歴情報の識別情報を変更して当該記憶装置へ格納する。これにより、通常の動作中に生成し、制御ユニットの記憶装置で管理する通信履歴情報から、制御ユニットに対する電力供給を停止するモードにおいて生成した通信履歴情報が欠落することを防止し、通信履歴情報の整合性を確保することができる。また、当該記憶装置で管理する通信履歴情報の通し番号と、制御ユニットに対する電力供給を停止するモードにおいて生成した通信履歴情報に付与した通し番号との整合性を確保することができる。
【００６６】
［第２の実施形態］
次に、図５及び図７を参照し、本発明における第２の実施形態について説明する。本実施形態に係る画像通信装置は、第１の実施形態の変形例として、通常モードからメンテナンスモードへ移行する際に、制御ユニットから通信ユニットへ、制御ユニットで管理する通信履歴情報における最新の識別情報を予め通知することを特徴とする。以下では、第１の実施形態と異なる部分についてのみ説明する。ここでは、通し番号について説明するが、これに限らない。制御ユニットが、一定の規則によって識別情報を発行するように構成されており、通信ユニットでも同じ規則に従って識別情報を発行するように構成されていればよい。
【００６７】
（通常モードからメンテナンスモードへの移行）
図７において、Ｓ２０１はＳ１０１と同様である。Ｓ２０２で、ＳＯＣ１０１は、メンテナンスモードへ移行するとともに、ＦＡＸユニット５００に対してメンテナンスモードへの移行命令を送信する。さらに、ＳＯＣ１０１は、ＨＤＤ１０３に格納している通信履歴情報の最新の通し番号をＦＡＸユニット５００に対して通知する。メンテナンスモードへの移行する処理として、ＳＯＣ１０１は、Ｓ１０２と同様、電源制御部６０１を制御し、ＦＡＸユニット５００以外の各ユニットに対する電源ユニット６００からの電力供給を停止する制御を行う。その後、Ｓ２０３へ移行する。なお、Ｓ２０３及びＳ２０４は、Ｓ１０３及びＳ１０４と同様である。
【００６８】
一方で、ＦＡＸユニット５００において、ＳＯＣ５０８は、Ｓ２５１で、制御ユニット１００からメンテナンス移行命令を受信したか否かを繰り返し判定する。ここで、ＳＯＣ５０８は、メンテナンスモード移行命令を受信していないと判定した場合、通常モードの動作を継続し、当該判定処理を繰り返す。一方で、制御ユニット１００からメンテナンス移行命令を受信したと判定した場合、Ｓ２５２へ移行する。その際、併せて制御ユニット１００からＨＤＤ１０３で管理されている最新の通し番号が通知される。
【００６９】
Ｓ２５２で、ＳＯＣ５０８は、メンテナンスモードへ移行する。その際に、ＳＯＣ５０８は、通信履歴情報に付与する通し番号を、通知された通し番号を用いて初期化する。その後、Ｓ２５３へ移行する。Ｓ２５３及びＳ２５４は、Ｓ１５３及びＳ１５４と同様である。ここで、Ｓ２５１で通知された送信用及び受信用の通し番号を「２４９」及び「４９９９」とすると、ＦＡＸユニット５００では、例えば図５に示す通信履歴情報が生成される。図５に示すように、各通信履歴情報には、通知された通し番号に基づいて、連続した整数値が通し番号として各通信履歴情報に付与される。
【００７０】
（メンテナンスモードから通常モードへの復帰）
制御ユニット１００において、Ｓ２０５〜Ｓ２０７は、Ｓ１０５〜Ｓ１０７と同様である。また、ＦＡＸユニット５００において、Ｓ２５５は、Ｓ１５５と同様である。Ｓ２０８で、ＳＯＣ１０１は、ＦＡＸユニット５００から受信した通信履歴情報と画像データとを、ＨＤＤ１０３へ格納する。ここで、本実施形態では、第１の実施形態のように、受信した通信履歴情報に付与された通し番号を変更する必要はない。これは、メンテナンスモードにおいて、ＦＡＸユニット５００では、制御ユニット１００から予め通知された値に基づいて、ＨＤＤ１０３の通信履歴情報に付与された通し番号と連続する値を、生成した通信履歴情報に付与しているためである。以上の処理により、制御ユニット１００及びＦＡＸユニット５００を含むＭＦＰ１０は通常モードに復帰し、当該モードによる動作を継続する。
【００７１】
以上説明したように、本実施形態に係る画像通信装置は、通常モードから制御ユニットに対する電力供給を停止するモードへ移行する際に、制御ユニットから通信ユニットに対して、制御ユニットで管理する通信履歴情報の最新の識別情報を通知する。通信ユニットは、制御ユニットに対する電力供給を停止するモードにおいて、生成した通信履歴情報に対して、通知された当該識別情報に基づいて新しい識別情報を付与する。さらに、制御ユニットに対する電力供給を停止するモードから通常モードへ復帰する際に、制ユニットは、通信ユニットから転送される通信履歴情報を、付与された識別情報を変更することなく記憶装置へ格納する。これにより、本実施形態に係る画像通信装置は、第１の実施形態と同等の効果を得ることができる。
【００７２】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005552282.tif 000002
【図２】
0005552282.tif 000003
【図３】
0005552282.tif 000004
【図４】
0005552282.tif 000005
【図５】
0005552282.tif 000006
【図６】
0005552282.tif 000007
【図７】
0005552282.tif 000008